【手続補正書】
【提出日】平成21年6月1日(2009.6.1)
【手続補正１】
【補正対象書類名】明細書
【補正対象項目名】全文
【補正方法】変更
【補正の内容】
【書類名】明細書
【発明の名称】  上半身衣類
【特許請求の範囲】
【請求項１】
着用者の上半身の少なくとも胸部に密着する本体見頃を備えた上半身衣類であって、
前記本体見頃よりも伸縮性が低く、かつ当該伸縮性が長手方向に構成されている帯状の布が、
前記本体身頃における胸骨中央相当部から左右の肩部に至る２本の第１のライン、
前記胸骨中央相当部から胸部下方を通り左右の脇部に至る２本の第２のライン、
及び前記第２のラインにおける左右の脇部近傍を背面で結ぶ第３のライン
に沿って、前記本体身頃に縫合され、
前記第１のライン及び前記第２のラインに沿う前記帯状の布が、着用時に、着用者の外肋間筋の動きをサポートし、前記第３のラインに沿う前記帯状の布が同じく着用者の広背筋の動きをサポートすることを特徴とする上半身衣類。
【請求項２】
前記第３のラインは、前記第２のラインにおける左右の脇部同士を背面で結ぶことを特徴とする請求項１記載の上半身衣類。
【請求項３】
前記第１及び第２のラインに沿って縫合された前記帯状の布のうち、
左の第１のラインと右の第２のライン、及び右の第１のラインと左の第２のラインに沿う前記帯状の布が、それぞれ、同一の一連の布から構成されたことを特徴とする請求項１又は２に記載の上半身衣類。
【請求項４】
前記帯状の布が、前記第１のライン上の胸部上部の所定位置から前記脇部に至る第５のラインに沿って、前記本体見頃に縫合され、
前記第５のラインに沿う前記帯状の布が、着用時に、着用者の大胸筋の動きをサポートすることを特徴とする請求項１〜３の何れか１項に記載の上半身衣類。
【請求項５】
前記帯状の布が、前記第５のラインにおける左右の脇部近傍を背面で結ぶ第６のラインに沿って、前記本体見頃に縫合され、
前記第６のラインに沿う前記帯状の布が、着用時に、着用者の広背筋の動きをサポートすることを特徴とする請求項４記載の上半身衣類。
【請求項６】
前記第６のラインは、前記第５のラインにおける左右の脇部同士を背面で結ぶことを特徴とする請求項５記載の上半身衣類。
【請求項７】
前記左右の脇部に、伸縮性が前記帯状の布よりも低い芯材が、当該芯材の長手方向が脇部上下方向に沿うように当接されたことを特徴とする請求項１〜６の何れか１項に記載の上半身衣類。
【請求項８】
前記本体見頃が、前記左右の脇部で前見頃と後見頃とが縫合された構成とされ、当該脇部の伸縮性が前記帯状の布よりも低くなるよう設定されたことを特徴とする請求項１〜６の何れか１項に記載の上半身衣類。
【発明の詳細な説明】
【０００１】
【発明の属する技術分野】
本発明は、上半身の少なくとも胸部に密着する本体見頃を備えた上半身衣類に関する。かかる上半身衣類は、男性用衣類又は女性用衣類に限定されるものではなく、例えば、シャツ（長袖、半袖、ランニングシャツ）、ボディスーツ、水着、レオタード等を含む。
【０００２】
なお、本明細書で「伸縮性が低い」とは、外力に対し伸縮しにくく、伸ばした場合に強い反発力（縮む力）を生じる性質を意味する。また、「伸縮性が高い」とは、外力に対し伸縮し易く、伸ばした場合に生じる反発力（縮む力）が弱いという性質を意味する。
【０００３】
【従来の技術】
近年、日本人の体格が良くなり平均身長も伸びているが、その反面、背中が丸く姿勢が悪い人が多いと言われる。このような姿勢の悪化は、高齢者については背筋等の筋力の低下により、年齢層の若い人については筋肉（特に背中部分）の使い方を知らないことにより生じると言われている。特に、年齢層の若い人については、自己の持っている身体能力を十分に発揮できていないといえる。
【０００４】
このような姿勢悪化の解決手段として、姿勢に着目し、肩を後ろに引くことで脊柱を直立させる構造の衣類が多く提案されている。
【０００５】
【発明が解決しようとする課題】
しかし、それらの衣類は、脊柱を直立させたとしても、脊柱の動きを固定してしまい、筋肉（特に背中部分）の動作の自由度を低下させ、筋力の低下につながるおそれがあるという問題点がある。
【０００６】
一方、人間が深呼吸を行うときには背筋を伸ばし胸を張り良好な姿勢が形成される。ところが、従来の上半身や胸部のサポートに関する技術としては、背中の筋骨格をサポートするもの（特許第３１１５８１６号）や乳房造型機能を有するブラジャー（特公昭４１―６０６１号、特公昭４０―１７６２７号）等があるが、いずれも、息を吸う時に使う筋肉をサポートするという点は提案されていない。
【０００７】
本発明は、上記課題を解決するために成されたものであり、脊柱の動きを阻害せずに、息を吸う時に使う筋肉を重点的にサポートすることができる上半身衣類を提供することを目的とする。
【０００８】
【課題を解決するための手段】
本願の出願人の長年の研究の結果、人間が深呼吸を行うとき、図７（ａ）の通常状態と図７（ｂ）の深呼吸での吸気時の状態とを比較すれば明らかなように、吸気時には胸椎後湾９０の曲率が小さくなる。また、図６には深呼吸時の胸骨８０の動きを深呼吸前の位置８０Ａと深呼吸後の位置８０Ｂにより示しているが、この図６にも示すように胸骨８０を矢印Ｋ１、Ｋ２に示す前上方向（図７（ｂ）では矢印Ｋ３方向）へ持ち上げるよう筋肉が作用していることを発見した。このような吸気時に働く主な筋肉は外肋間筋であり、これを補助するように広背筋、大胸筋が使用されることが判明した。
【０００９】
具体的には、外肋間筋は、肋骨の隙間に位置し肋骨同士を連結する筋肉だが、この外肋間筋は吸気時に図８（ａ）に示すように肋骨９２全体を矢印Ｌ方向へ持ち上げる（即ち、胸骨を前上方向に移動させる）働きをする。
【００１０】
また、図８（ｂ）に示す広背筋９４は、吸気時に胸郭を後ろ中心へ向けて矢印Ｍ方向に引っ張ることで、胸郭を外へ広げ、胸を張らせる働きをする。また、図８（ｃ）に示す大胸筋９６は、吸気時に胸郭を脇部へ向けて矢印Ｎ方向に引っ張ることで、胸郭を外へ広げ、胸を張らせる働きをする。
【００１１】
これらの働きを踏まえ、本発明に係る上半身衣類は、前述した目的を達成するために、着用者の上半身の少なくとも胸部に密着する本体見頃を備えた上半身衣類であって、本体見頃よりも伸縮性が低く、かつ当該伸縮性が長手方向に構成されている帯状の布が、本体身頃における胸骨中央相当部から左右の肩部に至る２本の第１のライン、胸骨中央相当部から胸部下方を通り左右の脇部に至る２本の第２のライン、及び第２のラインにおける左右の脇部近傍を背面で結ぶ第３のラインに沿って、本体身頃に縫合され、第１のライン及び第２のラインに沿う帯状の布が、着用時に、着用者の外肋間筋の動きをサポートし、第３のラインに沿う帯状の布が同じく着用者の広背筋の動きをサポートすることを特徴とする。
【００１２】
このような本発明によれば、本体身頃に縫合され、第１のライン及び第２のラインに沿う帯状の布が、着用時に、胸郭を前上方向へ持ち上げる働きをする外肋間筋の動きをサポートする。
【００１３】
また、第２のラインにおける左右の脇部近傍を背面で結ぶ第３のラインに沿って縫合された伸縮性が低い帯状の布は、着用時に、脇部から後ろ中心（具体的には第７、８胸椎の近傍）に向かう広背筋の動きをサポートする。
【００１４】
帯状の布の伸縮性は本体見頃よりも低いので、本発明に係る上半身衣類が着用されると、第１〜第３のラインに沿って、適度な圧力が加わることとなり、息を吸う時に使う筋肉としての外肋間筋及び広背筋の筋収縮運動をサポートすることができる。このとき、筋肉を自然にサポートしているため、従来のような肩を無理に後ろに引く矯正用衣類等とは異なり、身体に無理な力をかけて筋肉運動などを阻害することはない。
【００１５】
このようにして、本発明に係る上半身衣類を着用することで、胸を張るような力が自然と働き、脊柱の動きを阻害せずに、息を吸う時に使う筋肉を重点的にサポートすることができる。
【００１６】
なお、第３のラインは、第２のラインにおける左右の脇部近傍を背面で結ぶが、このとき、第３のラインが第２のラインと連結された構成でもよいし、直接連結されていないが第２のラインの左右の脇部より少し上又は少し下で連結された構成でもよい。
【００１７】
また、第３のラインに沿う布と第２のラインに沿う布とで同じ幅としてもよいし、異なる幅としてもよい。例えば、第３のラインに沿う布と第２のラインに沿う布とは１cm幅くらい連結されているが、それ以外の幅部分が連結されていない構成を採用してもよい。なお、上記で異なる幅とする場合は、背中側に位置する第３のラインに沿う布の幅が第２のラインに沿う布の幅よりも広くなるように構成すれば、胸郭を背中中央に引く力がかかりやすくなるという効果が得られる。
【００１８】
もちろん、第３のラインが、第２のラインにおける左右の脇部同士を背面で結ぶよう構成してもよく、この場合、第３のラインに沿う布と第２のラインに沿う布とが直接連結された構成又は連続した構成となり、外肋間筋及び広背筋の筋収縮運動をより効果的にサポートすることができるという利点がある。
【００１９】
本発明に係る上半身衣類では、布の伸縮方向が当該布の長手方向となるよう構成すれば、当接される筋肉の収縮方向と布の伸縮方向とがほぼ一致し、布は低い伸縮性を維持しつつも着用者の筋肉の動きに追随して伸縮するので、着用者にあまり拘束感や窮屈感を与えることなく、筋肉の動きをサポートし自然な着心地を実現することができる。
【００２０】
本発明に係る上半身衣類では、第１及び第２のラインに沿って縫合された帯状の布のうち、左の第１のラインと右の第２のライン、及び右の第１のラインと左の第２のラインに沿う帯状の布が、それぞれ、同一の一連の布から構成することが望ましい。この場合、左の肩部から胸骨中央相当部を通り右の脇部に至る布と、右の肩部から胸骨中央相当部を通り左の脇部に至る布とが胸骨中央相当部で交差する構成となるが、肩部から脇部までのライン全体を同一の一連の布でサポートするので、所要の伸縮性がかかりやすく、外肋間筋をより効果的にサポートすることができる。
【００２１】
本発明に係る上半身衣類では、帯状の布が、胸骨中央相当部から胸部上方を通り脇部に至る第４のラインに沿って、本体見頃に縫合された構成とすることが望ましい。この場合、第４のラインに沿って縫合された伸縮性が低い帯状の布は、着用時に、胸骨中央相当部から脇部に向かう大胸筋の動きをサポートするので、この第４のラインに沿って、適度な圧力が加わることとなり、息を吸う時に使う筋肉としてさらに大胸筋をサポートすることができる。これにより、息を吸う時に使う筋肉のサポート効果が増大する。
【００２２】
本発明に係る上半身衣類では、帯状の布が、第１のライン上の胸部上部の所定位置から脇部に至る第５のラインに沿って、本体見頃に縫合された構成とすることが望ましい。この場合、第５のラインに沿って縫合された伸縮性が低い帯状の布は、着用時に、胸骨中央相当部から脇部に向かう大胸筋の動きをサポートするので、この第５のラインに沿って、適度な圧力が加わることとなり、息を吸う時に使う筋肉としてさらに大胸筋をサポートすることができる。これにより、息を吸う時に使う筋肉のサポート効果が増大する。
【００２３】
また、帯状の布が、第５のラインにおける左右の脇部近傍を背面で結ぶ第６のラインに沿って、本体見頃に縫合された構成とすることが望ましい。この場合、上記同様、第６のラインに沿って縫合された伸縮性が低い帯状の布は、着用時に、脇部から後ろ中心（具体的には第７、８胸椎の近傍又は少し上方）に向かう広背筋の動きをサポートするので、この第６のラインに沿って、適度な圧力が加わることとなり、息を吸う時に使う筋肉としての広背筋のサポート効果が増大する。
【００２４】
なお、第６のラインは、第５のラインにおける左右の脇部近傍を背面で結ぶが、このとき、第６のラインが第５のラインと連結された構成でもよいし、直接連結されていないが第５のラインの左右の脇部より少し上又は少し下で連結された構成でもよい。
【００２５】
また、第６のラインに沿う布と第５のラインに沿う布とで同じ幅としてもよいし、異なる幅としてもよい。例えば、第６のラインに沿う布と第５のラインに沿う布とは１cm幅くらい連結されているが、それ以外の幅部分が連結されていない
構成を採用してもよい。なお、上記で異なる幅とする場合は、背中側に位置する第６のラインに沿う布の幅が第５のラインに沿う布の幅よりも広くなるように構成すれば、胸郭を背中中央に引く力がかかりやすくなるという効果が得られる。
【００２６】
もちろん、第６のラインが、第５のラインにおける左右の脇部同士を背面で結ぶよう構成してもよく、この場合、第６のラインに沿う布と第５のラインに沿う布とが直接連結された構成又は連続した構成となり、大胸筋及び広背筋の筋収縮運動をより効果的にサポートすることができるという利点がある。
【００２７】
本発明に係る上半身衣類では、帯状の布が、第１のラインと左右の肩部で連続し当該肩部と第３のライン上の所定位置及び第６のライン上の所定位置の少なくとも一方とを連結する第７のラインに沿って、本体見頃に縫合された構成とすることが望ましい。この場合、第７のラインは、第１のラインと左右の肩部で連続するとともに、第３のライン上の所定位置及び第６のライン上の所定位置の両方と肩部とを連結するか又は第３のライン上の所定位置及び第６のライン上の所定位置のうち一方と肩部とを連結する構成である。
【００２８】
このような第７のラインに沿って縫合された伸縮性が低い帯状の布は、着用時に、肩を後ろに引くとともに第１のラインに沿った持ち上げる力を背中側で保持する働きを行うので、外肋間筋をサポートし胸を張らせる効果を増強することができる。
【００２９】
また、帯状の布が、第１のラインと左右の肩部で連続し当該肩部と第３のライン上の所定位置とを連結する第８のラインに沿って、本体見頃に縫合された構成とすることが望ましい。この場合、上記同様、第８のラインに沿って縫合された伸縮性が低い帯状の布は、着用時に、肩を後ろに引くとともに第１のラインに沿った持ち上げる力を背中側で保持する働きを行うので、外肋間筋をサポートし胸を張らせる効果を増強することができる。
【００３０】
本発明に係る上半身衣類では、左右の脇部に、伸縮性が布よりも低い芯材が、当該芯材の長手方向が脇部上下方向に沿うように当接された構成とすることが望ましい。この場合、左右の脇部に上下方向に芯材を当接することで、第２のライン、第３のライン等、脇部に力が作用する場合に当該芯材が支点となるので、第２のラインに沿った外肋間筋のサポート及び第３のラインに沿った広背筋のサポートをより効果的に行うことができる。
【００３１】
また、本体見頃が、左右の脇部で前見頃と後見頃とが縫合された構成とされ、当該脇部の伸縮性が布よりも低くなるよう設定された構成とすることが望ましい。この場合、左右の脇部における前見頃と後見頃との縫合箇所では、生地の伸びがほとんど無くなるので、上記同様、第２のライン、第３のライン等、脇部に力が作用する場合に当該縫合箇所が支点となるので、第２のラインに沿った外肋間筋のサポート及び第３のラインに沿った広背筋のサポートをより効果的に行うことができる。
【００３２】
【発明の実施の形態】
以下、添付図面を参照しながら、本発明に係る上半身衣類の実施の形態を説明する。なお、同一の要素には同一の符号を付し、重複する説明を省略する。
【００３３】
図１は、本実施形態に係る上半身衣類１０の一構成例を示す斜視図である。この図１に示すように、上半身衣類１０は、身体に密着する長袖の丸首シャツ１２と、このシャツ１２に対し以下の所定位置で縫合された複数の帯状の布１４ａ、１４ｂ…とを含んで構成されている。なお、複数の帯状の布１４ａ、１４ｂ…は布１４と総称する。
【００３４】
シャツ１２は、前見頃１２Ａ、後見頃１２Ｂ及び袖部１２Ｃが互いに縫合されて構成されており、前見頃１２Ａと後見頃１２Ｂの縫合箇所である脇部１８、２０、肩部１６は、生地の伸びがほとんど無くなるので、後述の力の作用における支点として有効に機能する。
【００３５】
各布１４は、トリコット又はパワーネット等から成り、その伸縮性がシャツ１２の伸縮性よりも低くなるよう構成されている。また、各布１４の伸縮方向が当該布の長手方向となるよう構成されている。
【００３６】
布１４は、左右の肩部１６から胸骨中央相当部Ｐに至る第１のラインに沿って縫合された布１４ｃ、１４ｄと、胸骨中央相当部Ｐから胸部下方を通り左右の脇部１８に至る第２のラインに沿って縫合された布１４ａ、１４ｂと、第２のラインにおける左右の脇部１８同士を背面で結ぶ第３のラインに沿って縫合された布１４ｅと、第１のライン上の胸部上部の所定位置Ｑから脇部２０に至る第５のラインに沿って縫合された布１４ｈ、１４ｉと、第５のラインにおける左右の脇部２０同士を背面で結ぶ第６のラインに沿って縫合された布１４ｊと、第１のラインと左右の肩部１６で連続し当該肩峰１６と第６のライン上の所定位置Ｒとを連結する第７のラインに沿って縫合された布１４ｋ、１４ｌとから構成される。
【００３７】
このうち、第１のライン及び第２のラインに沿って縫合された布１４ａ、１４ｃ、１４ｂ、１４ｄは、胸郭を前上方向へ持ち上げる働きをする外肋間筋の筋繊維に沿った方向に位置する。このため、第１、第２のラインに沿って、即ち、外肋間筋の筋繊維に沿って、適度な圧力が加わることとなり、息を吸う時に使う筋肉として外肋間筋をサポートすることができる。また、布１４ａと布１４ｃは点Ｐで縫合されているわけではなく、同一の一連の布から構成されている。同様に、布１４ｂと布１４ｄも同一の一連の布から構成されている。このため、外肋間筋を筋繊維に沿ってより効果的にサポートすることができるという利点がある。
【００３８】
また、第３のラインに沿って縫合された布１４ｅは、吸気時に脇部を後ろ中心へ向けて引っ張ることで胸郭を外へ広げ胸を張らせる働きをする広背筋の筋繊維に沿った方向に位置する。このため、第３のラインに沿って、即ち、広背筋の筋繊維に沿って、適度な圧力が加わることとなり、息を吸う時に使う筋肉としての広背筋をサポートすることができる。
【００３９】
また、第５のラインに沿って縫合された布１４ｈ、１４ｉは、吸気時に胸郭を脇部へ向けて引っ張ることで、胸郭を外へ広げ胸を張らせる働きをする大胸筋の筋繊維に沿った方向に位置する。このため、第５のラインに沿って、即ち、大胸筋の筋繊維に沿って、適度な圧力が加わることとなり、息を吸う時に使う筋肉としての大胸筋をサポートすることができる。
【００４０】
また、第６のラインに沿って縫合された布１４ｊは、脇部から後ろ中心（具体的には第７、８胸椎の近傍又は少し上方）に向かう広背筋の筋繊維に沿った方向に位置する。このため、第６のラインに沿って、即ち、広背筋の筋繊維に沿って、適度な圧力が加わることとなり、息を吸う時に使う筋肉としての広背筋をサポートすることができる。
【００４１】
また、第７のラインに沿って縫合された布１４ｋ、１４ｌは、肩を後ろに引くとともに第１のラインに沿った胸郭を持ち上げる力を背中側で保持する働きをするので、外肋間筋を筋繊維に沿ってサポートし胸を張らせる効果を増強することができる。
【００４２】
このように各ラインに沿って、息を吸う時に使う筋肉（外肋間筋、広背筋及び大胸筋）をサポートすることができる。このとき、筋肉を筋繊維に沿って自然にサポートしているため、従来のような肩を無理に後ろに引く矯正用衣類等とは異なり、脊柱を直立させたとしても脊柱の動きを阻害することは避けられる。
【００４３】
このようにして、上半身衣類１０を着用することで、胸を張るような力が自然と働き、息を吸う時に使う筋肉を重点的にサポートすることができる。
【００４４】
また、各布１４の伸縮方向がその長手方向となるよう構成しているので、布１４は低い伸縮性を維持しつつも、着用者の身体の動きに追随して若干伸縮可能となるので、着用者にあまり拘束感や窮屈感を与えることなく、自然な着心地を実現することができる。
【００４５】
なお、図１（ｂ）では、布１４ｋ、１４ｌが肩部１６と布１４ｊの所定位置Ｒとを連結した構成を示したが、布１４ｋ、１４ｌが肩部１６と布１４ｅの途中の所定位置とを連結した構成を採用してもよく、この場合も、布１４ｋ、１４ｌが、着用時に、肩を後ろに引くとともに第１のラインに沿った持ち上げる力を背中側で保持する働きを行うので、外肋間筋を筋繊維に沿ってサポートして胸を張らせる本実施形態の効果を増強することができる。
【００４６】
また、図５に示すように、図１の構成において、布１４ｃ、１４ｄが互いに離れすぎないようにするため、布１４ｃ、１４ｄを胸部上部で連結し、布１４ｃと布１４ｄが左右に開きすぎて当接箇所がずれ所要箇所に力がかからなくなることを防止する布２２を追加してもよい。ただし、胸の押し付け感を回避するため、この布２２は、シャツ１２よりも伸縮性が低いが布１４ｃ、１４ｄよりも伸縮性が高い素材で構成することが、当接箇所を過度に圧迫することがなく望ましい。
【００４７】
以下、図２〜図４を用いて、本発明に係る他の実施形態を説明する。図２に示す上半身衣類１０Ｘは、丈の短い半袖のＵ首シャツ１２と、このシャツ１２に対し図１とほぼ同様の所定位置で縫合された複数の帯状の布１４とを含んで構成されている。
【００４８】
ただ、この上半身衣類１０Ｘでは、Ｕ首の首周りに布１４ｃ、１４ｄが縫合され、前中央の支点Ｐから胸の下方を通り脇へ抜けるラインに沿って幅広の布１４ａ、１４ｂが縫合されている。このうち布１４ａ、１４ｂは、左右の上縁部が外肋間筋の筋繊維に沿った方向に位置するので、これら布１４ａ、１４ｂと、これらと支点Ｐで連結された布１４ｃ、１４ｄとが一体となり、外肋間筋をサポートすることができる。
【００４９】
また、支点Ｐから胸の上方を通り脇へ抜ける第４のラインに沿って布１４ｈ、１４ｉが縫合されている。これら布１４ｈ、１４ｉは、支点Ｐから脇部に向かう大胸筋の筋繊維に沿った方向に位置するので、大胸筋の筋繊維に沿って適度な圧力が加わることとなり、大胸筋をサポートすることができる。
【００５０】
また、左右の脇部には、伸縮性が布１４よりもさらに低い芯材として、ほとんど伸びの無い圧縮ポリウレタンシート３０が上下方向に当接されている。この圧縮ポリウレタンシート３０は、脇部に布１４の力が作用する場合に支点となるので、第２のラインに沿った外肋間筋のサポート、第３のラインに沿った広背筋のサポート、第４のラインに沿った大胸筋のサポートをより効果的に行うことができる。なお、圧縮ポリウレタンシート３０以外にも、芯材としては、樹脂ボーン、樹脂シート、ほとんど伸びの無いダブルラッセル、圧縮不織布等の素材のものを使用することができる。
【００５１】
また、図２（ｂ）に示すように、布１４ｋ、１４ｌが背中の中央で交差する構成となっている。布１４ｋ、１４ｌについては、図１（ｂ）のように交差しない構成でも、図２（ｂ）のように交差する構成でもよい。いずれにしても、肩を後ろに引くとともに第１のラインに沿った持ち上げる力を背中側で保持する働きを行うので、外肋間筋を筋繊維に沿ってサポートして胸を張らせる本実施形態の効果を増強することができる。
【００５２】
また、本発明は以下の図３、図４のような実施形態でも実現でき、上記同様の作用・効果を奏する。
【００５３】
例えば、図３に示す上半身衣類１０Ｙは、女性用水着に本発明を適用した構成例であり、布１４の配置は図１の例とほぼ同様であるが、左右の脇部には、伸縮性が布１４よりもさらに低い芯材として圧縮ポリウレタンシート３０が当接され、背中の布１４ｋ、１４ｌは背中の中央部で布３２により連結された構成となっている。
【００５４】
また、図４に示す上半身衣類１０Ｚは、ミニトップに本発明を適用した構成例であり、布１４の配置は図１の例とほぼ同様であるが、支点Ｐから胸の下方を通り脇へ抜けるラインＤ（上記第２のラインに相当）と、このラインＤから胸の下部で分岐しバージスライン脇側に沿って布１４ｈ、１４ｉに到達するラインＥのそれぞれに、布１４が縫合されている。また、背中の布１４ｋ、１４ｌは背中の中央部で連結された構成となっている。
【００５５】
このように本発明は、男性用衣類又は女性用衣類に限定されることなく、身体に密着するタイプの各種の上半身衣類（例えば、シャツ（長袖、半袖、ランニングシャツ）、ボディスーツ、水着、レオタード等を含む）に適用可能である。
【００５６】
【発明の効果】
以上説明したように、本発明に係る上半身衣類は、着用時に、第１〜第３のラインに沿って、適度な圧力が加わることとなるので、胸を張るような力が自然と働き、息を吸う時に使う筋肉を重点的にサポートすることができる。
【図面の簡単な説明】
【図１】
本発明の実施形態に係る上半身衣類の構成図であり、（ａ）は前面を投影した斜視図、（ｂ）は背面図である。
【図２】
本発明の他の実施形態に係る上半身衣類の構成図であり、（ａ）は前面を投影した斜視図、（ｂ）は背面図である。
【図３】
本発明の他の実施形態に係る上半身衣類の構成図であり、（ａ）は前面を投影した斜視図、（ｂ）は背面図である。
【図４】
本発明の他の実施形態に係る上半身衣類の構成図であり、（ａ）は前面を投影した斜視図、（ｂ）は背面図である。
【図５】
図１の上半身衣類に対し着崩れ防止用布をさらに設けた構成図である。
【図６】
深呼吸時の胸骨の動きを示す図である。
【図７】
（ａ）は通常の胸椎後湾の状態を示す図であり、（ｂ）は吸気時の胸椎後湾の状態を示す図である。
【図８】
（ａ）は吸気時の外肋間筋の働きを説明するための図であり、（ｂ）は吸気時の広背筋の働きを説明するための図であり、（ｃ）は吸気時の大胸筋の働きを説明するための図である。
【符号の説明】
１０…上半身衣類、１２…シャツ（本体見頃）、１２Ａ…前見頃、１２Ｂ…後見頃、１４…布、１６…肩部、１８、２０…脇部、３０…圧縮ポリウレタンシート（芯材）、Ｐ…胸骨中央相当部